(57)【要約】【課題】煙返しにより複数の障子を連動して閉められるサッシにおいて、クレセント錠を使わずに戸先錠を用いた場合に障子ががたついて金属音が発生するのを防止する。【解決手段】開口部装置は、枠体Ａと、２枚の障子Ｂ，Ｃを有する２枚建て片引き全開タイプのサッシである。枠体Ａの開口部Ｆと障子収納部Ｄとの間の室内側には方立Ｅが設けられる。２枚の障子Ｂ，Ｃを閉めた場合に外障子Ｂの召合せ側の縦框１４の煙返し１８と内障子Ｃの召合せ側の縦框２３の煙返し２８とが係合する。また、この際に内障子Ｃの戸先側の縦框２４の煙返し２９と方立Ｅの煙返し３１が係合する。これら互いに係合する煙返しには、これら煙返し同士のクリアランスを塞ぐように間隔調整部材４１，４２が設けられている。これにより、戸先錠を施錠するだけで、障子Ｂ，Ｃのがたつきが防止されるとともに金属音の原因となる煙返し同士の接触が防止される。【選択図】図１
2007120238.tif 000002
【特許請求の範囲】
【請求項１】
枠体と、この枠体内に左右方向に移動可能に設けられ、かつ、少なくとも一部が室内側と室外側とに前後に位置をずらして配置された複数の障子とを備え、
前記枠体の内部が、上下に配置された方立を境に開口部と障子収納部とに仕切られ、
前記障子により前記開口部を閉塞した状態で、前記障子の左右側縁部のうちの他の障子の左右側縁部もしくは方立の何れかと左右位置が重なるように前後に隣接する障子の左右側縁部と、前記方立とには、隣接する前記左右側縁部もしくは方立との間で互いに係合する煙返しがそれぞれ設けられ、
互いに係合する煙返しのうちの少なくとも一方の煙返しに、前記障子により開口部を閉塞した状態で係合する煙返し同士の左右方向に沿ったクリアランスとなる間隔を塞ぐように他方の煙返しに当接可能な間隔調整部材が備えられ、
前記間隔調整部材の少なくとも一つは、一方の煙返しから他方の煙返しに至る部分の左右幅を変更可能とされていることを特徴とする開口部装置。
【発明の詳細な説明】
【技術分野】
【０００１】
本発明は、内側と外側に配置されて左右方向に移動可能な複数の障子が枠体内に設けられ、かつ、煙返し構造を備えた開口部装置に関する。
【背景技術】
【０００２】
この種の開口部装置の一つとして、建物の開口部の周りに設けられる上枠、下枠および左右の縦枠からなる枠体と、この枠体内に左右方向に移動可能に設けられた障子と、この障子を引き込み形式で収納する戸袋とを備え、開口部を全開にすることができる全開口型サッシ（全開サッシ）が知られている（例えば、特許文献１参照）。
【０００３】
このような全開サッシにあっては、例えば、窓等の開口部を全開できることにより、利便性の向上だけではなく、窓を開口した場合に室内側から障子が見えなくなることで意匠性の向上を図ることができる。
ここで、一般的に、内外の障子を有する引き違いの窓サッシにおいては、通常、クレセント錠が設けられている。クレセント錠は、例えば、外側の障子（外障子）の召合せ側の縦框のパネル（ガラス）側に設けられたフックと、内側の障子（内障子）の召合せ側の縦框の左もしくは右方向を向く端面に設けられると共に、把手の付いた回転可能な半円盤とからなる。この半円盤は突起を有するもので、半円盤を回転させて、フックに突起を引っかけて左右方向及び前後方向に締めつけることで窓を開かないように固定する。
このクレセント錠を用いた場合に、クレセント錠が、上述のように障子の縦框からガラス側に突出することで、縦框の縦のラインを乱し、意匠性を低下させていた。
【０００４】
【特許文献１】特開平６−２６２８６号公報
【発明の開示】
【発明が解決しようとする課題】
【０００５】
ところで、クレセント錠を用いることなく、例えば、戸先錠（合掌錠を含む）を用いるようにすれば、上述の召合せ部分の意匠性の向上を図ることができるが、戸先錠は、クレセント錠のように内外の障子同士を強く締めつけて固定することはないので、戸先錠で施錠しても、サッシの枠体と障子や障子同士のクリアランス等や許容範囲内の誤差などにより、障子ががたつく可能性がある。すなわち、戸先錠を用いた場合に、風や車の通過等による振動で障子ががたついてしまう。
【０００６】
また、全開サッシでは、障子の開放動作を容易にするために、例えば、外障子の召合せ側の縦框の室内側面と、内障子の召合せ側の縦框の室外側面とに上下に延在するとともに、互いに折り返し片を有する断面フック状の煙返しを設けることが考えられる。これにより、外障子を戸袋から出して閉塞側に移動し、外障子が略戸袋から出る状態となると、外障子の煙返しと内障子の煙返しとが係合する。さらに、外障子を閉塞側に移動することで、内障子が煙返しを介して外障子に引っ張られ、外障子に連動して内障子が閉められることになる。よって、開放時に戸袋に障子を収納した状態とする全開サッシにおいて、障子を閉める際の利便性を考えると煙返しを設けることが好ましい。
【０００７】
しかし、煙返しを設けた場合に、上述のようにクレセント錠に代えて戸先錠を設ける構成とすることで、施錠時に障子ががたつくような状態となっていると、障子ががたついた際に、外障子と内障子の例えばアルミ（合金）製の煙返し同士が接触し不快な金属音が発生してしまう。
この場合に、例えば、外障子と内障子との召合せ部分などに外障子と内障子とを締めつけるサブロックを設けることが考えられるが、サブロックを使用しなければ、がたつきを止めることができない。
【０００８】
また、閉塞時に係合する煙返し同士のクリアランスを０とし、閉塞時に煙返し同士が接触した状態とすれば、金属音の発生を防止し、さらにがたつき自体の発生を防止することができる。しかし、製造誤差等による寸法のばらつきが生じるので、クリアランスを０として設計しても、クリアランスが生じてしまう可能性がある。また、逆にクリアランスがマイナスとなりスムーズに障子を閉塞できない場合が生じる可能性がある。
また、風が吹いた際などに、施錠した状態であるにも拘わらず上述のようながたつきに基づく金属音が発生すると、障子ががたつくことがないクレセント錠に慣れている場合に、サッシが施錠されていないと勘違いして不安になる可能性がある。
【０００９】
本発明はこのような事情に鑑みてなされたもので、煙返しを使用する場合で、かつ、クレセント錠を使用しない場合に、施錠時の障子のがたつきと、この障子のがたつきに基づく煙返しによる異音の発生を防止することを目的とする。
【課題を解決するための手段】
【００１０】
前記目的を達成するために、請求項１に記載の開口部装置は、枠体と、この枠体内に左右方向に移動可能に設けられ、かつ、少なくとも一部が室内側と室外側とに前後に位置をずらして配置された複数の障子とを備え、
前記枠体の内部が、上下に配置された方立を境に開口部と障子収納部とに仕切られ、
前記障子により前記開口部を閉塞した状態で、前記障子の左右側縁部のうちの他の障子の左右側縁部もしくは方立の何れかと左右位置が重なるように前後に隣接する障子の左右側縁部と、前記方立とには、隣接する前記左右側縁部もしくは方立との間で互いに係合する煙返しがそれぞれ設けられ、
互いに係合する煙返しのうちの少なくとも一方の煙返しに、前記障子により開口部を閉塞した状態で係合する煙返し同士の左右方向に沿ったクリアランスとなる間隔を塞ぐように他方の煙返しに当接可能な間隔調整部材が備えられ、
前記間隔調整部材の少なくとも一つは、一方の煙返しから他方の煙返しに至る部分の左右幅を変更可能とされていることを特徴とする。
【００１１】
前記開口部装置において、障子は基本的に引き違いに配置されるが、引き違いに左右複数枚ずつの障子が配置された両寄せタイプ（引き分けタイプ）の障子であっても良いし、全ての障子が引き違いに配置される片引きタイプであっても良く、開口部を閉塞した状態で左右方向の位置が一致するように前後に重なった障子の左右側縁部もしくは方立にそれぞれ設けられた煙返しが互いに係合するようになっていれば良い。
また、片引きタイプの場合には、枠体内に一本の方立が配置され、この方立を境に左右方向の一方側が開口部とされ、他方側が障子収納部（戸袋）とされる。また、両寄せタイプの場合には、枠体の左右にそれぞれ方立が配置され、方立を境に、枠体の左右の端部側がそれぞれ障子収納部とされ、中央側が開口部とされる。
また、間隔調整部材の他方の煙返しに当接する部分は、確実に金属音の発生を防止する上で金属ではなくゴム等の弾性部材とすることが好ましい。また、これにより障子の閉塞時の間隔調整部材及び煙返しへの衝撃を緩和することができる。
【発明の効果】
【００１２】
請求項１に記載の開口部装置によれば、煙返し同士のクリアランスとなる間隔に間隔調整部材が配置されることになり、クレセント錠を用いずに戸先錠を用いることで、障子ががたつくと共に、このがたつきにより煙返し同士が接触して金属音が発生する状態となるのを防止することができる。
また、煙返し同士のクリアランスを設計上において０とするのではなく、間隔調整部材を取り付けるようにするとともに、間隔調整部材に一方の煙返しから他方の煙返しに至る部分の左右幅を変更可能とする調整機能を持たせることで、確実にがたつき及び金属音の発生を防止するとともに、障子の開閉に問題が生じるのを防止することができる。
【発明を実施するための最良の形態】
【００１３】
以下、添付した図面を参照しながら、本発明の実施の形態を説明する。
図１および図２は、本発明の実施の形態に係る２枚建て片引き全開口タイプのサッシを示す図であって、図１は、全開口状態の横断面図であり、図２は、閉じた状態の横断面図である。
【００１４】
このサッシ（開口部装置）は、２枚の障子を内外に引き違いに配置した片引き全開口タイプ（片引き込みタイプ）のサッシである。このサッシは、建物の開口部に取り付けられる枠体Ａと、この枠体Ａ内に、室内側と室外側とに前後に位置をずらして配置され、かつ、左右方向（水平方向）に移動可能に設けられた外障子（障子）Ｂおよび内障子（障子）Ｃとを備えている。
【００１５】
枠体Ａの内側の一方（この例では右側）の側部には、障子Ｂ，Ｃを収納可能な障子収納部（戸袋部ともいう。）Ｄが設けられており、障子収納部Ｄは、方立Ｅによりサッシの開口部Ｆと仕切られている。このサッシでは、外障子Ｂおよび内障子Ｃを右側の障子収納部Ｄに収納することによって、開口部Ｆを全開状態にすることができるようになっている（図１参照）。なお、開口部Ｆは、建物の開口部と略重なるように配置されており、建物に形成された開口部をほぼ全開状態とすることができるようになっている。なお、枠体Ａの障子Ｂ，Ｃより外側には、網戸Ｍ，Ｎが二枚引き違いに配置されており、網戸Ｍ，Ｎも障子収納部Ｄ側に引き込むことで、開口部Ｆを全開状態とすることが可能となっている。
【００１６】
枠体Ａは、上枠（図示略）、下枠２および左右の縦枠３、４により方形枠状に組み立てられて構成されている。
外障子Ｂは、上框（図示略）、下框１２および左右の縦框１３、１４により方形枠状の框組体が組み立てられ、この框組体にパネルである複層ガラス１６が組み込まれて構成されている。また、内障子Ｃは、上框（図示略）、下框２２および左右の縦框２３、２４により方形の框組体が組み立てられ、この框組体にパネルである複層ガラス２６が組み込まれて構成されている。
外障子Ｂ及び内障子Ｃの上框、下框１２，２２および左右の縦框１３，２３、１４，２４は、例えば、アルミ合金等の金属からなり、複層ガラス２６の室内側の側面よりさらに室内側に突出して設けられるとともに、その室内側に露出する面は、複合構造を有する断熱サッシの樹脂形材としての樹脂カバーにより覆われた状態となっており、上述の金属部分が室内側に露出しない状態となっている。すなわち、外障子Ｂ及び内障子Ｃは、室外側がアルミ合金等の金属もしくはその塗装面が露出し、室内側が合成樹脂製の樹脂カバーで覆われた複合構造を有する断熱サッシの障子Ｂ，Ｃとなっている。
【００１７】
また、２枚建て片引きサッシとして、外障子Ｂは、開口部Ｆを閉じる際に、枠体Ａの障子収納部Ｄの反対側すなわち左側の縦枠３に当接して、開口部Ｆの左側に配置され、内障子Ｃは、開口部Ｆの障子収納部Ｄ側である右側に配置される。
外障子Ｂの戸先側の縦框１３の室内側面（見付け面）には、引き手１７が設けられている。なお、この例においては、後述のように外障子Ｂの戸先側の縦框１３の室内側面に近接して、方立Ｅや内障子Ｃの召合せ側縦框２３が重なって配置されるようなことがなく、引き手１７は、凹部ではなく室内側に突出する構造となっている。
【００１８】
また、外障子Ｂの召合い側となる縦框１４には、図１に示すように、室内側面に所謂煙返し１８が形成されおり、後述する内障子Ｃの召合い側となる縦框２３の室外側面に形成された煙返し２８と係合するようになっている。そして、図２に示すように、外障子Ｂを開口部Ｆを閉塞する側に移動した場合に、途中で、外障子Ｂの煙返し１８が内障子Ｃの煙返し２８に係合し、外障子Ｂに連動して内障子Ｃが閉塞側に移動するようになっている。また、外障子Ｂを開口部Ｆを開放する側に移動した場合には、外障子Ｂの煙返し１８と内障子Ｃの煙返し２８との係合が解除されるようになっている。
【００１９】
内障子Ｃの召合い側の縦框２３の室外側面には、上述の煙り返し２８が形成されている。また、内障子Ｃの戸先側（障子収納部Ｄ側）の縦框２４の室内側面には、後述する方立Ｅの煙返し３１と係合する煙返し２９が形成されている。これにより、内障子Ｃは、障子収納部Ｄから引き出して内障子Ｃの障子収納部Ｄ側の縦框２４と、方立Ｅが室内−室外方向で重なって煙返し２９と煙返し３１が係合した状態となるとそれ以上障子収納部Ｄから離れる方向に移動できなくなる。
【００２０】
よって、開口部Ｆを外障子Ｂと内障子Ｃとで閉塞した状態で、内障子Ｃが外障子Ｂ側に移動することで、開口部Ｆの内障子Ｃ側（右側）が開放するようなことがない。すなわち、外障子Ｂと内障子Ｃとの召合い側にそれぞれ形成された煙返し１８，２８は、外障子Ｂに内障子Ｃを連動させて開口部Ｆを閉塞可能としたもので、内障子Ｃの戸先側（障子収納部Ｄ側）と方立に設けられた煙返し１８，２８は、内障子Ｃの移動範囲を規制するためのものである。これにより、戸先錠４０を施錠することで、外障子Ｂおよび内障子Ｃ両方の移動が規制されることになる。
以上のように、障子Ｂ，Ｃにより開口部Ｆを閉塞した状態で、障子Ｂ，Ｃの左右側縁部（縦框１３，１４，２３，２４）のうちの他の障子の左右側縁部もしくは方立Ｅの何れかと左右位置が重なるように前後に隣接する障子の左右側縁部（縦框１４，２３，２４）と、前記方立Ｅとには、隣接する前記左右側縁部もしくは方立Ｅとの間で互いに係合する煙返し１８，２８、２９、３１がそれぞれ設けられている。
なお、これら煙返し１８，２８、２９、３１の詳細については後述する。
【００２１】
また、内障子Ｃの戸先側（障子収納部Ｄ側）の縦框１４の室外側面には、外障子Ｂの移動を規制するストッパ突起２７が形成され、外障子Ｂを開口部Ｆを開放する方向に移動した場合に、外障子Ｂの召合い側となる縦框１４の右側の端面が内障子Ｃのストッパ突起２７に当接するようになっている。そして、外障子Ｂを開放側に移動中に、外障子Ｂが内障子Ｃのストッパ突起２７に当接した際に、内障子Ｃの召合い側端面が外障子Ｂの引き手１７が形成された縦框１３より障子収納部Ｄ側（右側、外障子Ｂの召合い側）となるようになっており、引き手１７が形成された縦框１３が室内側から見て内障子Ｃに隠されずに必ず露出するようになっている。言い換えれば、外障子Ｂの戸先側の縦框１３が室内−室外方向に内障子Ｃと重なることがないようになっている。これにより、縦框１３や引き手１７に手をかけて外障子Ｂを開放側に移動した場合に、縦框１３や引き手１７にかけた手が内障子Ｃに当たったり、外障子Ｂと内障子Ｃとの間に挟まれたりすることがないようになっている。なお、外障子Ｂが内障子Ｃのストッパ突起２７に当接した状態で、外障子Ｂの戸先側端面と、内障子Ｃの召合い側端面の間の左右の距離は、例えば、外障子Ｂ（内障子Ｃ）の縦框１３，１４（２３，２４）の左右幅より僅かに長いものとなっている。
【００２２】
また、外障子Ｂを開放側に移動する際に、内障子Ｃのストッパ突起２７に外障子Ｂが当接すると、外障子Ｂの開放側への移動に対応して内障子Ｃも開放側に移動することになる。すなわち、外障子Ｂが内障子Ｃのストッパ突起２７を押して内障子Ｃを開放側に連動して移動可能となっている。
ここで、枠体Ａの障子収納部Ｄ側の縦枠４の内側には、内障子Ｃが配置される前後位置に内障子Ｃの枠体Ａの縦枠４への接触を規制するようにストッパ部材３２が配置されている。
そして、外障子Ｂの戸先側の端面が略完全に開口部Ｆから出て障子収納部Ｄに入った状態（外障子Ｂの戸先側の端面と、方立Ｅの開口部Ｆの内周側となる端面とが略同一平面内に配置された状態）となった際に、内障子Ｃがストッパ部材３２に当接し、内障子Ｃのそれ以上の開放側への移動が規制され、内障子Ｃの移動が規制されることで、内障子Ｃのストッパ突起２７に当接する外障子Ｂの開放側への移動が規制される。
【００２３】
従って、外障子Ｂは、開放側へ移動した際に、上述のように外障子Ｂの戸先側の端面と、方立Ｅの開口部Ｆ側の端面とが略同一平面内に配置された状態となり開口部Ｆを略完全に開口した状態で外障子Ｂの開放側への移動が停止するようになっており、これにより、外障子Ｂが障子収納部Ｄの奥側に入ってしまい障子収納部Ｄから取り出しずらい状態となるのを防止することができる。
また、この際には、内障子Ｃは、上述のように外障子Ｂが内障子Ｃのストッパ突起２７に当接した状態であり、上述のように外障子Ｂの戸先側端面と内障子Ｃの召合い側端面との間に縦框１３，１４（２３，２４）の左右幅より僅かに長い間隔があいていることになる。
【００２４】
以上のことから、外障子Ｂを完全に開放した状態とすることにより、方立Ｅと引き手１７を有する外障子Ｂの戸先側の縦框１３が室内−室外方向に重なった状態、すなわち外障子Ｂの引き手１７が室内側からみて方立Ｅの裏側に隠れて配置された状態となっても、外障子Ｂを上述のように完全に開口した状態では、外障子Ｂの戸先側の縦框１３と方立Ｅとの間に内障子Ｃの前後幅（縦框２３，２４の前後幅）分の間隔があいた状態となっており、外障子Ｂの引き手１７や縦框１３に手をかけた状態で外障子Ｂを開放側に移動した際に、上述のように手が内障子Ｃにぶつかったり、外障子Ｂと内障子Ｃとの間に挟まれたりすることがないとともに、手が方立Ｅとの間に挟まれるようなこともない。また、外障子Ｂを完全に開放する際に方立Ｅが邪魔となることもない。
【００２５】
さらに、完全に開放された状態の外障子Ｂを閉鎖側に移動する際に、外障子Ｂの引き手１７と方立Ｅが上述のように重なった状態となっても、外障子Ｂの引き手１７を有する縦框１３と方立Ｅとの間に手を入れて容易に引き手１７に手をかけることができる。従って、外障子Ｂが開口部Ｆの外側に出て開口部Ｆ内に露出していない状態となっていても、問題なく閉鎖方向に移動することができる。
【００２６】
前記枠体Ａの上記開口部Ｆと障子収納部Ｄとの間に上下に延在する前記方立Ｅが設けられている。方立Ｅは、その上端部が上枠に接合され、下端部が下枠２に接合されている。また、枠体Ａの方立Ｅより障子収納部Ｄ側は建物の開口部の外側となり室内側からは壁によって見えない状態となっている。また、方立Ｅの室外側面には、上述の煙返し３１が設けられている。
一方、開口部Ｆは建物の開口部により室内側からその内周部分が露出した状態となっている。そして、矩形状の開口部Ｆの周囲は、上側が枠体Ａの上枠、下側が枠体Ａの下枠２、左側が枠体Ａの縦枠３、右側が方立Ｅにより構成されている。
そして、これら上枠、下枠２、縦枠３及び方立Ｅから構成される開口部Ｆの内周面側には、アングル３３が取り付けられるとともに、アングル３３は、断熱サッシの上述の複合構造の樹脂形材であり、合成樹脂から形成される。
【００２７】
上記煙返し１８，２８，２９，３１においては、互いに係合する煙返し１８，２８，２９，３１同士の左右方向のクリアランスをなくすように調整する間隔調整部材４１，４２が後述のように互いに係合する煙返し１８，２８，２９，３１の一方に取り付けられている。
図３には、外障子Ｂの召合せ側の縦框１４と、内障子Ｃの召合せ側の縦框２３とが左右位置を略同じにして重なっている状態が図示されている。これは、基本的に開口部Ｆを外障子Ｂおよび内障子Ｃで閉めた状態で、外障子Ｂの戸先側に設けられた戸先錠４０を施錠することが可能な状態もしくは施錠した状態を示すものである。
内障子Ｃの召合せ側の縦框２３に設けられた煙返し２８は、縦框２３の室外側面の長手方向に沿って上下に延在して形成されており、かつ、内障子Ｃの面方向に沿うとともに左右方向に沿って設けられたベース片２８ａと、ベース片２８ａから直角に室外側に屈曲して突出する屈曲片２８ｂと、屈曲片２８ｂからベース片２８ａと平行となるように障子収納部Ｄ側に折り返された折り返し片２８ｃとからなる。
【００２８】
従って、折り返し片２８ｃは、左右方向に沿って障子収納部Ｄ側に延出している。
なお、ベース片２８ａおよび屈曲片２８ｂは、縦框２４の本体を構成する部材を兼ねたものとなっている。
また、内障子Ｃにおいては、縦框２４の本体の室外側面と折り返し片２８ｃの室外側面とが一つの左右方向に沿った平面内に配置されている。また、折り返し片２８ｃとベース片２８ａとの間に上下に沿った溝状の凹部が障子収納部Ｄ側（内障子Ｃの戸先側）に開口して形成された状態となっている。
【００２９】
外障子Ｂの召合せ框側の縦框１４に設けられた煙返し１８は、縦框１４の室内側面の長手方向に沿って上下に延在して形成されており、外障子Ｂの面方向に沿いかつ左右方向に沿って設けられたベース片１８ａと、ベース片１８ａから直角に室内側に屈曲して突出する屈曲片１８ｂと、屈曲片１８ｂからベース片１８ａと平行となるように戸先側に折り返された折り返し片（図示略）とからなる。屈曲片１８ｂは、内障子Ｃの縦框２３の上述の折り返し片２８ｃの先端部より障子収納部Ｄ側で、外障子Ｂの縦框１４の室内側面から前記折り返し片２８ｃよりも僅かに室内側に突出している。
【００３０】
そして、折り返し片は、屈曲片１８ｂの先端部からベース片１８ａに沿って、内障子Ｃの煙返し２８のベース片２８ａと折り返し片２８ｃとの間に挿入された状態となっている。なお、図３は、外障子Ｂの煙返し１８の折り返し片が後述のように切欠かれた部分の横断面を示しており、折り返し片が図示されていない。また、煙返し１８のベース片１８ａおよび屈曲片１８ｂは、縦框１４本体を構成する部材を兼ねている。
【００３１】
そして、内障子Ｃの煙返し２８には、縦框２３の室内側面に沿って間隔調整部材４１が取り付けられている。
図４（ａ），（ｂ）に示すように、間隔調整部材４１は、縦框２３の室内側面に例えばビス４４等の接合部材により接合して固定される矩形状の固定板部４１ａと、前記室内側面に沿って左右に延在する固定板部４１ａの先端部から小さなＲで略直角に屈曲して室内側に突出する調整板部４１ｂと、調整板部４１ｂから小さなＲで略直角に屈曲して折り返し片２８ｃとベース片２８ａとの間に挿入された状態となる掛止板部４１ｃと、調整板部４１ｂの外側面に設けられたゴム等の弾性部材からなる当接板４１ｄとを備える。
【００３２】
前記固定板部４１ａは、折り返し片２８ｃの室内側面が縦框２３本体の室内側面と連続する平面となっているので、縦框２３本体の室内側面から折り返し片２８ｃの先端部より僅かに先まで延出した状態で縦框２３に固定されている。また、固定板部４１ａには、上下に並んで二つのビス孔４１ｅ，４１ｅが設けられており、このビス孔４１ｅ、４１ｅを介して縦框２３にビス止め固定されるようになっている。なお、間隔調整部材４１の取付位置は、縦框２３の上下の略中央部、すなわち、内障子Ｃの上下の略中央部となっている。そして、煙返し２８と係合する外障子Ｂの煙返し１８の間隔調整部材４１の取付位置に対応する部分において、煙返し１８の折り返し片が切欠かれた状態となっている。
【００３３】
そして、外障子Ｂおよび内障子Ｃを閉塞状態として、これらの煙返し１８，２８同士が係合した場合に、調整板部４１ｂは、その外側面に取り付けられた当接板４１ｄとともに、内障子Ｃの縦框２３の煙返し２８の折り返し片２８ｃの先端と、外障子Ｂの煙返し１８の屈曲片１８ｂの内側面との間に配置され、これら折り返し片２８ｃの先端と、屈曲片１８ｂの内側面との間のクリアランスを塞ぐようになっている。
すなわち、外障子Ｂおよび内障子Ｃにより開口部Ｆを閉めた状態で、内障子Ｃの煙返し２８の折り返し片２８ｃの先端より先側に取り付けられた調整板部４１ｂのさらに外側面に取り付けられた当接板４１ｄが外障子Ｂの煙返し２８の屈曲片２８ｂの内側面に当接するようになっている。
【００３４】
また、掛止板部４１ｃは、折り返し片２８ｃとベース片２８ａとの間に挿入されることで、基端部側がビス４４により固定され先端部側に調整板部４１ｂが取り付けられた固定板部４１ａに対して折り返し片２８ｃから離れる方向に力がかかった場合に、折り返し片２８ｃに接触し、固定板部４１ａが折り返し片２８ｃから離れるように反って変形するのを防止するものである。
【００３５】
図５には、内障子Ｃの戸先側（障子収納部Ｄ側）の縦框２４と、方立Ｅとが左右位置を略同じにして重なっている状態が図示されている。これは、上述のように、外障子Ｂの戸先側に設けられた戸先錠４０を施錠することが可能な状態もしくは施錠した状態を示すものである。
方立Ｅに設けられた煙返し３１は、方立Ｅの室外側面の長手方向に沿って上下に延在して形成されており、方立Ｅの室外側面に沿って左右方向に設けられたベース片３１ａと、ベース片３１ａから直角に室外側に屈曲して突出する屈曲片３１ｂと、屈曲片３１ｂからベース片３１ａと平行となるように障子収納部Ｄ側に折り返された折り返し片３１ｃとからなる。
【００３６】
従って、折り返し片３１ｃは、左右方向に沿って障子収納部Ｄ側に延出している。
なお、ベース片３１ａおよび屈曲片３１ｂは、方立Ｅの本体を構成する部材の兼ねたものとなっている。
また、方立Ｅ本体の室外側面と折り返し片３１ｃの室外側面とは、その境界部分に段差を有するものの左右方向に連続している。また、折り返し片３１ｃとベース片３１ａとの間に上下に沿った溝状の凹部が障子収納部Ｄ側（内障子Ｃの戸先側）に開口して形成された状態となっている。なお、方立Ｅの室外側面には、浅い溝３４が形成されており、この溝３４の右側縁が、上述の方立Ｅ本体の室外側面と折り返し片３１ｃの室外側面との境界部分の段差となっている。
【００３７】
内障子Ｃの戸先側の縦框２４に設けられた煙返し２９は、縦框２４の室内側面の長手方向に沿って上下に延在して形成されており、内障子Ｃの面方向に沿いかつ左右方向に沿って設けられたベース片２９ａと、ベース片２９ａから直角に室内側に屈曲して突出する屈曲片２９ｂと、屈曲片２９ｂからベース片２９ａと平行となるように戸先側に折り返された折り返し片（図示略）とからなる。屈曲片２９ｂは、折り返し片３１ｃの先端部より障子収納部Ｄ側で、外障子Ｂの縦框２４の室内側面から方立Ｅの煙返し３１の折り返し片３１ｃよりも僅かに室内側に突出している。
【００３８】
そして、縦框２４の煙返し２９の折り返し片は、屈曲片２９ｂの先端部からベース片２９ａに沿って、方立Ｅの煙返し３１のベース片３１ａと折り返し片３１ｃとの間に挿入された状態となっている。なお、図５は、内障子Ｃの煙返し２９の折り返し片が後述のように切欠かれた部分の横断面を示しており、折り返し片が図示されていない。また、煙返し２９のベース片２９ａおよび屈曲片２９ｂは、縦框２４本体を構成する部材を兼ねている。
【００３９】
そして、方立Ｅの煙返し３１には、方立Ｅの室内側面に沿って間隔調整部材４２が取り付けられている。
図６（ａ），（ｂ）に示すように、間隔調整部材４２は、方立Ｅの室内側面にビス等により固定される矩形状の固定板部４２ａと、室内側面に沿って左右に延在する固定板部４２ａの先端部から小さなＲで略直角に屈曲して室内側に突出する調整板部４２ｂと、調整板部４２ｂから小さなＲで略直角に屈曲して折り返し片３１ｃとベース片３１ａとの間に挿入された状態となる掛止板部４２ｃと、当接板部４２ｂの外側面に設けられたゴム等の弾性部材からなる当接板４２ｄとを備える。
【００４０】
前記固定板部４２ａは、方立Ｅ本体の室内側面から折り返し片３１ｃの先端部より僅かに先まで延出した状態となっている。また、固定板部４２ａには、上述の方立Ｅの溝３４に対応して、段差４２ｆが設けられており、段差４２ｆより先端側の先端部４２ｇが段差４２ｆより元側の基端部４２ｈに対して室外側に配置されており、基端部４２ｈが方立Ｅの溝３４の底面に沿って配置され、先端部４２ｇが溝３４の外側（戸先側）となる折り返し片３１ｃの室外側面に沿って配置される。
また、固定板部４２ａは、上下に並んで二つのビス孔４２ｅ，４２ｅが設けられており、このビス孔４２ｅ、４２ｅを介して方立Ｅにビス止め固定されるようになっている。なお、間隔調整部材４２の取付位置は、方立Ｅの上下の略中央部となっている。また、間隔調整部材４２の取付位置に対応する高さ位置で、内障子Ｃの縦框２４の煙返し２９の折り返し片が切り欠かれている。
【００４１】
間隔調整部材４２の固定板部４２ａにおいては、上述のビス孔４２ｅ，４２ｅが左右に長い長穴となっており、固定板部４２ａをビス止めする際に、間隔調整部材４２の位置を左右にずらして調整することが可能となっている。すなわち、間隔調整部材４２は、その調整板部４２ｂの内側面が方立Ｅの煙返し３１の折り返し片３１ｃの先端に当接する位置と、調整板部４２ｂの内側面が前記折り返し片３１ｃの先端から予め設定された長さだけ離れた位置までの間の任意の位置となるように方立Ｅに固定可能となっている。これにより、間隔調整部材４２の一方の煙返し３１から他方の煙返し２９に至る部分の左右幅を変更可能となっている。
【００４２】
なお、固定板部４２ａの基端部４２ｈは溝３４の中に入った状態となっているが、基端部４２ｈの左右長さは溝３４の左右幅より短くなっており、基端部４２ｈは溝３４内で左右に移動可能となっている。また、基端部４２ｈの端を溝３４の障子収納部Ｄに対して反対側となる側縁の段差に当接させた状態で固定板部４２ａをビスにより固定すると、調整板部４２ｂの内側面が方立Ｅの煙返し３１の折り返し片３１ｃの先端に当接する位置となるように設定されている。これにより、溝３４の段差により間隔調整部材４２の取り付け位置（調整前の基準となる位置）の位置決めが可能となっている。
【００４３】
そして、外障子Ｂおよび内障子Ｃを閉塞状態として、内障子Ｃと方立Ｅの煙返し２９，３１同士が係合した場合に、調整板部４２ｂは、その外側面に取り付けられた当接板４２ｄとともに、方立Ｅの煙返し３１の折り返し片３１ｃの先端と、内障子Ｃの煙返し２９の屈曲片２９ｂの内側面との間に配置され、これら折り返し片３１ｃの先端と、屈曲片２９ｂの内側面との間のクリアランスを塞ぐようになっている。
すなわち、外障子Ｂおよび内障子Ｃにより窓等となる開口部を閉めた状態で、方立Ｅの煙返し３１の折り返し片３１ｃの先端より先側に取り付けられた調整板部４２ｂのさらに外側面に取り付けられた当接板４２ｄが外障子Ｂの煙返し２８の屈曲片２８ｂの内側面に当接するようになっている。
【００４４】
上述の二つの間隔調整部材４１，４２により、外障子Ｂの煙返し１８と内障子Ｃの煙返し２８との係合部と、内障子Ｃの煙返し２９と方立Ｅの煙返し３１の係合部とのそれぞれにおける煙返し１８，２８，２９，３１同士のクリアランスに間隔調整部材４１，４２が配置されることにより、係合部分のクリアランスがなくなる。言い換えれば、戸先錠４０を施錠した状態、すなわち、外障子Ｂの戸先側の端部を枠体Ａの障子収納部Ｄの反対側となる縦枠３に固定した状態で、それぞれ煙返し１８，２８，２９，３１部分で係合する外障子Ｂ、内障子Ｃ、方立Ｅの間に左右方向に移動可能なクリアランスがなくなり、外障子Ｂおよび内障子Ｃのがたつきを防止することができる。また、煙返し１８，２８，２９，３１同士のクリアランスに間隔調整部材４１，４２が配置されることにより、煙返し煙返し１８，２８，２９，３１同士が接触することがなく、かつ、上述のようにがたつきが防止されることから、接触による金属音の発生を防止することができる。
【００４５】
なお、間隔調整部材４１，４２の固定板部４１ａ，４２ａ、調整板部４１ｂ，４２ｂおよび掛止板部４１ｃ，４２ｃからなる間隔調整部材４１，４２本体は、例えば、アルミ（合金）やステンレス等の金属製であるが、当接板４１ｄ，４２ｄがゴム等の弾性部材からなることにより確実に金属音の発生を防止することができる。
【００４６】
煙返し１８，２８，２９，３１同士のクリアランス部分に配置される間隔調整部材４１，４２の調整板部４１ｂ，４２ｂの厚みと当接板４１ｄ，４２ｄの厚みとを合わせた長さが煙返し１８，２８，２９，３１同士の設計時のクリアランスと同じ値となるように設定されている。なお、当接板４１ｄが弾性部材からなるので、調整板部４１ｂ，４２ｂの厚みと当接板４１ｄ，４２ｄの厚みとを合わせた長さが煙返し１８，２８，２９，３１同士の設計時のクリアランスより僅かに長くなっていても良い。
そして、製造された開口部装置において、煙返し１８，２８，２９，３１同士のクリアランスがほぼ設計されたクリアランスと同じとなっていれば、上述のように施錠時における外障子Ｂおよび内障子Ｃ同士のがたつきを防止するとともに、金属音の発生を防止することができる。
【００４７】
しかし、製造誤差等により製品によって上記クリアランスにばらつきが生じることは避けられない。ここで、枠体Ａの左右幅に対して障子Ｂ，Ｃの左右幅が長くなる誤差があった場合、例えば、枠体Ａの左右幅が設計値より僅かに短い場合や、障子Ｂ，Ｃの左右幅が設計値より僅かに長い場合には、次のような状態となる。すなわち、戸先錠４０を施錠した状態で、かつ、外障子Ｂの煙返し１８と内障子Ｃの煙返し２８とにおいて、上述のように内障子Ｃの煙返し２８の折り返し片２８ｃの先端より先側に取り付けられた調整板部４１ｂのさらに外側面に取り付けられた当接板４１ｄが外障子Ｂの煙返し１８の屈曲片１８ｂの内側面に当接させた場合に、内障子Ｃの戸先側の端面は、設計された位置よりも少し障子収納部Ｄ側に位置がずれることになる。
【００４８】
これにより、図５に示すように、方立Ｅの煙返し３１において、間隔調整部材４２をその調整板部４２ｂの内側面が折り返し片３１ｃの先端に当接した状態とすると、調整板部４２ｂに取り付けられた当接板４２ｄと内障子Ｃの煙返し２９の屈曲片２９ｂとの間に隙間があく状態となってしまう。これにより外障子Ｂを戸先錠４０で施錠した状態で、内障子Ｃが設計値からのずれ量に対応して左右に僅かに移動できる状態となってしまう。
そこで、上述のように方立Ｅの煙返し３１に取り付けられた間隔調整部材４２の位置を障子収納部Ｄ側、すなわち、戸先錠４０からさらに離れるようにずらすことで、間隔調整部材４２の調整板部４２ｂおよび当接板４２ｄを内障子Ｃの煙返し２９の屈曲片２９ｂに当接させることが可能となる。これにより、戸先錠４０を施錠した状態で内障子Ｃの左右への移動ができない状態となり、上述の設計値からずれのない場合と同様の作用効果を得ることができる。
【００４９】
一方、枠体の左右幅に対して障子Ｂ，Ｃの左右幅が短くなる誤差があった場合、例えば、枠体の左右幅が設計値より僅かに長い場合や、障子の左右幅が設計値より僅かに短い場合には、図９に示すような状態となる。すなわち、外障子Ｂおよび内障子Ｃを閉めた場合に、外障子Ｂの戸先側の端面が正常な位置より僅かに枠体Ａの縦枠３から離れた状態となる。この場合に、周知の戸先錠４０においては、誤差に対する調整機能があり、僅かに縦枠３から離れた状態となっても施錠可能となっており、戸先錠４０の調整により、上述の設計値からずれのない場合と同様の作用効果を得ることができる。なお、開口部Ｆの閉塞時に枠体Ａの縦枠３と外障子Ｂの戸先側の縦框１３との間の気密性を確保する気密材にも左右方向に許容範囲があり、この外障子Ｂの上述の誤差による位置ずれが許容範囲内ならば、機密性も確保可能となっている。
【００５０】
なお、以上の場合において、設計値からのずれ量は予め見込まれる許容範囲内である必要がある。許容範囲を超えると、間隔調整部材４２の取付位置の移動や、戸先錠４０の調整でも対応できないものとなり、がたつきを完全に防止できなかったり、戸先錠４０の施錠が困難になったり、枠体Ａの縦枠３と外障子Ｂとの間に隙間ができたりする可能性がある。また、間隔調整部材４２を左右に移動可能とする際に、枠体Ａや障子Ｂ，Ｃの左右幅が設計値とほぼ等しい場合に、左右の移動範囲のほぼ中央部に間隔調整部材４２を配置されるようにし、上述のように製造誤差等によって枠体Ａの左右幅に対して障子Ｂ，Ｃの左右幅が短い場合でも長い場合でも間隔調整部材４２を左右の何れかに移動することで対応できるようにしても良い。
【００５１】
上記例では、２枚建て片引き全開タイプのサッシに本発明を適用したが、その他のタイプのサッシにも適用可能であり、例えば、合掌式に左右に２枚ずつの障子を配置した両寄せ全開口タイプのサッシにも適用可能である。この場合に、戸先錠４０は、合掌錠とされる以外は、基本的に左右２枚ずつの障子に対してそれぞれ上記例の構成を適用すればよい。また、片側３枚以上、両側５枚以上の障子を有するサッシにも適用可能である。
また、サッシは必ずしも完全に開放される全開タイプに限られるものではなく、開放した際に障子の一部が開口部内に残る構造となっているものでよい。
【図面の簡単な説明】
【００５２】
【図１】本発明の実施の形態に係る２枚建て片引き全開口タイプのサッシを示す図であって、開口状態の横断面図である。
【図２】同、閉じた状態の横断面図である。
【図３】前記サッシの外障子の煙返しと内障子の間隔調整部材が取り付けられた煙返しが係合した状態の要部横断面図である。
【図４】前記間隔調整部材を示す図面である。
【図５】前記サッシの内障子の煙返しと方立の間隔調整部材が取り付けられた煙返しが係合した状態の要部横断面図である。
【図６】前記間隔調整部材を示す図面である。
【符号の説明】
【００５３】
Ａ      枠体
Ｂ      外障子（障子）
Ｃ      内障子（障子）
Ｄ      障子収納部
Ｅ      方立（縦部材）
Ｆ      開口部
１４    縦框（外障子の右側縁部）
１８    煙返し
２３    縦框（内障子の左側縁部）
２４    縦框（内障子の右側縁部）
２８    煙返し
２９    煙返し
３１    煙返し
４１    間隔調整部材
４２    間隔調整部材
【図１】
2007120238.tif 000003
【図２】
2007120238.tif 000004
【図３】
2007120238.tif 000005
【図４】
2007120238.tif 000006
【図５】
2007120238.tif 000007
【図６】
2007120238.tif 000008